Podtech/llm-jp-corpus-v4-ja_patent huggingface dataset:
(57)【要約】      （修正有）【課題】農業・園芸業界では経営上、作業性のよい資材、資材費用の少ない資材、廃棄物の少ない資材が求められている。【解決手段】幅Ｗに対し長さＬ１．５倍以上の楕円または長方形に近似した開口部を設け、マルチ資材の長さ方向に対し、開口部を１列または２列以上設けることにより目的を達することができる。楕円や長方形に近似した開口部を有するマルチ資材の場合、苗を定植するに際し、苗とマルチフイルムとの隙間に指を差し込むスペースがあるので、定植作業性が優れている。【選択図】図４
0003137421.tif 000002
【実用新案登録請求の範囲】
【請求項１】
布帛、不織布、紙またはフイルムに、幅Wに対し長さLの寸法が１.５倍以上の楕円または長方形に近似した開口部を有する農園業用マルチ資材。
【考案の詳細な説明】
【技術分野】
【０００１】
この考案は、農業用マルチ資材の開口部の形状および開口部の配置構造に関するものである。
【背景技術】
【０００２】
従来マルチ資材の開口部としては、円形または多角形で幅と長さがほぼ同じなものが多く、それ以外に開口部の幅と長さの比を考慮し規定したものはない。
【考案の開示】
【考案が解決しようとする課題】
【０００３】
農・園芸業界では経営上、作業性の良い資材、資材費用の少ない資材、廃棄物の少ない資材が求められている。
【０００４】
従来のマルチ資材を用いて、農作物や花を定植する場合、開口部と苗との間隙が少ないと定植作業性が劣る。
【０００５】
さらに、マルチ資材を回収して再使用することによって、資材費用の節減と、廃棄物の減少を図るためには、前回栽培した作物と異なる作物でも再使用可能ならしめるために、マルチ資材として、種種の栽培作物に適用できる開口部の形状であることが求められる。
【課題を解決するための手段】
【０００６】
マルチ資材としては、幅に対し長さが１.５倍以上の楕円または長方形に近似した開口部を設け、マルチ資材の長さ方向に対し、開口部をたてまたはよこ方向に配置したものが好適である。  開口部は、マルチ資材の長さ方向に対し１列または２列以上とする。
【０００７】
長方形に近似した開口部を設けたマルチ資材の内では、多角形のものも使用可能であるが、開口部の角に丸みをつけた長方形ものが、角の部分に引っ張り応力の集中によるマルチ資材の破れが少ないので、繰り返し使用の耐久性の点で優れている。
【考案の効果】
【０００８】
楕円や長方形近似の開口部を有するマルチ資材の場合、苗を定植するに際し、苗と開口部との隙間に指を差し込むスペースがあるので、定植作業性が優れている。
【０００９】
農作物や花等を定植する場合、その種類によって植えるに適した株間はそれぞれ異なっているが、開口部が楕円や長方形に近似しているマルチ資材であれば、定植の株間を対象作物の種類によって容易に変えることが出来るので、マルチ資材を回収して再使用することにより、マルチ資材費用の節減と廃棄物の減少を図ることができる。
【考案を実施するための最良の形態】
【００１０】
【実施例】
【００１１】
実施例１
図４型のマルチ資材において、開口部である楕円の長径L１５ｃｍ短経W１０ｃｍ、開口部の間隔S３５ｃｍ、マルチ資材の幅MW１００ｃｍの資材を使い、トマトのポット苗を定植した。  開口部の大きさに比べて苗の大きさがお大きめであったが、現在多用されている開口部が円形の資材にくらべ長径方向の両側にスペースがあり、指を差し込む余地があるので、苗の根を囲む土が保持され根傷みが少ないので移植作業が容易であった。  
【００１２】
実施例２
図５型のマルチ資材において、開口部である長方形の幅W１０ｃｍ長さL４０ｃｍ、開口部の間隔S１０ｃｍ、マルチ資材の幅MW１００ｃｍの資材を使い、茄子の苗を下図１の黒丸で示す位置に定植した。この場合茄子の株間HLは約６０ｃｍであった。  同じマルチ資材を使い、レタスを下図２の黒丸で示す位置に定植した。  この場合レタスの株間HLは約２５ｃｍで、作物の生育は何れも良好であった。  このように同じマルチ資材を、栽培する作物の種類によって使い分けることができるので、１度使用したマルチ資材を回収して再使用することにより、農業資材費用の節約と廃棄物の減少を図ることができた。
【００１３】
実施例３
図６型のマルチ資材において、開口部である長方形の幅W１０ｃｍ長さL３０ｃｍ、開口部の間隔はマルチ資材の幅方向Sbが３０ｃｍ、長さ方向の間隔Sが１０ｃｍ、マルチ資材の幅MWが１３５ｃｍの資材を使い、キュウリを下図３の黒丸で示す位置に定植した。キュウリの列の株間は約２０ｃｍ、キュウリの畝幅は約６０ｃｍであった。  
苗の定植作業性が良好であった。
【図面の簡単な説明】
【００１４】
【図１】図５型のマルチ資材を使った実施例
【図２】図５型のマルチ資材を使った実施例
【図３】図６型のマルチ資材を使った実施例
【図４】開口部が楕円形なマルチ資材
【図５】開口部が長方形近似のマルチ資材
【図６】開口部が長方形近似で２列並んだマルチ資材
【符号の説明】
【００１５】
MW  マルチ資材の幅
L    開口部の長さ
W    開口部の幅
S    開口部のながさ方向の間隔
Sｂ  開口部の幅方向の間隔
【図１】
0003137421.tif 000003
【図２】
0003137421.tif 000004
【図３】
0003137421.tif 000005
【図４】
0003137421.tif 000006
【図５】
0003137421.tif 000007
【図６】
0003137421.tif 000008
(57)【要約】【課題】  蓄光材（蛍光材）が少なくても十分な発光を呈する手摺りを提供する。【解決手段】  外周の軸方向に凹溝が形成されたアルミパイプと、アルミパイプの外周に薄厚で被覆される樹脂被膜と、凹溝に嵌入される帯状の蓄光材又は蛍光材とからなる。【選択図】  図１
0003137424.tif 000002
【実用新案登録請求の範囲】
【請求項１】
外周の軸方向に凹溝が形成されたアルミパイプと、アルミパイプの外周に薄厚で被覆される樹脂被膜と、凹溝に嵌入される帯状の蓄光材又は蛍光材とからなる手摺り。
【請求項２】
凹溝が外周ほど幅狭になった請求項１の手摺り。
【考案の詳細な説明】
【技術分野】
【０００１】
本考案は、廊下や階段或いは室内の壁に沿設される手摺りに関するものである。
【背景技術】
【０００２】
手摺りに蓄光材や蛍光材が設けられていると、夜間でもその在り処が明確になって好ましい。下記特許文献１には、アルミパイプの外周に蓄光顔料又は蛍光顔料を含有させた塩化ビニル樹脂を被覆したものが示されている。ところが、蓄光顔料や蛍光顔料はアルミパイプの全周に被覆される塩化ビニル樹脂に含有されているため、少ない含有では発光が十分ではない。十分な発光量を得るためには含有量を多くしなければならず、コストが高くつく。
【特許文献１】実用新案登録第３０１３７４４号公報
【考案の開示】
【考案が解決しようとする課題】
【０００３】
本考案は、蓄光材や蛍光材の量が少なくても十分な発光を呈することができるようにしてコストの低減を図ったものである。
【課題を解決するための手段】
【０００４】
そこで、本考案は、請求項１に記載した、外周の軸方向に凹溝が形成されたアルミパイプと、アルミパイプの外周に薄厚で被覆される樹脂被膜と、凹溝に嵌入される帯状の蓄光材又は蛍光材とからなる手摺りを提供するとともに、これにおいて、請求項２に記載した、凹溝が外周ほど幅狭になった手段を提供する。
【考案の効果】
【０００５】
請求項１の手段によると、蓄光材又は蛍光材は帯状の蓄光材又は蛍光材に含有せしめればよいから、量が少なくても十分な発光を呈し、コストが安くなる。請求項２の手段によれば、蓄光材が凹溝から外れ難い。
【考案を実施するための最良の形態】
【０００６】
以下、本考案の実施の形態を図面を参照して説明する。図１は本考案にかかる手摺りの断面図、図２は一部平面図であるが、この手摺りは、外周に凹溝１が形成されたアルミパイプ２と、アルミパイプ２の外周に被覆される樹脂被膜３と、アルミパイプ２の凹溝１に嵌入される蓄光材又は蛍光材（以下、蓄光材）４とからなる。
【０００７】
アルミパイプ２は強度を担う芯材であり、通常の手摺りであれば、肉厚１ｍｍ程度、直径３５ｍｍ程度のもので十分である。なお、強度を補強するために内周に適宜リブ５を突出させておくのが適する。このアルミパイプ２の外周には軸方向に凹溝１が形成される。凹溝１の寸法は幅が５〜１０ｍｍ、深さが３〜８ｍｍ程度でよい。加えて、凹溝１は外周ほど幅狭になったものが好ましい。このアルミパイプ２は凹溝１の成形と同時の押出成形で製造されるのが一般的であるが、パイプ２に凹溝１を冷間成形等で形成してもよい。
【０００８】
アルミパイプ２の外周には樹脂被膜３が被覆される。樹脂被膜３の膜厚は０．５ｍｍ以下の薄厚でよい。被覆の方法としては、アルミパイプ２の押出成形時にその外表面に樹脂組成物を被覆しながら加熱して被膜とすることが考えられる。また、フイルム状の樹脂材をラミネートしてもよい。このとき、アルミパイプ２の外周に接着剤を塗布しておくのが固着強度が高くなって好ましい。被覆は、凹溝１の中も被覆してもよいし、その部分は除外するものであってもよい。樹脂被膜３としては塩化ビニル樹脂が適し、発泡性のものでも非発泡性のものでもよい。
【０００９】
アルミパイプ２の外周に樹脂被膜３を被覆するのは、手摺りに用いられるものであることから、アルミパイプ２だけであると、冷たくて硬い感じがして見た目もよくないし、手触りの感触もよくないからである。この点で樹脂被膜３は木目調のものが適する。
【００１０】
凹溝１の中には、帯状の蓄光材４を嵌入する。蓄光材４としては、アクリル系樹脂等にアルミナストロンチウム系や硫化亜鉛系の蓄光顔料を混入したものが考えられる。嵌入の方法としては、凹溝１の寸法に合わせた蓄光材４を予め製作しておき、これを凹溝１に上から押し込んだり、端から挿入して行く方法が考えられる。
【００１１】
この場合、凹溝１に嵌入された蓄光材４が外れては具合が悪い。そこで、蓄光材４の幅を凹溝１の幅よりも厚いものにして圧入する方法や接着による方法等が考えられる。このとき、凹溝１を外周ほど幅狭にしておけば、より外れ難い。この形態による場合も、蓄光材４は圧入や接着によってもよいが、溶融状態の蓄光材４を凹溝１の中に流し込む鋳込みの方法が考えられる。これによると、幅狭の程度が大きな場合でも可能で、これのみで外れ防止になる。蓄光材４の表面はアルミパイプ２の表面と同じ形状にしておく。
【００１２】
以上の手摺りはある程度の長さのものを製作しておき、必要なだけを切断して使用することになる。取付けは、アルミパイプ２の両端をブラケット（図示省略）で受け、これを壁等に止め付ければよい。
【図面の簡単な説明】
【００１３】
【図１】手摺りの断面図である。
【図２】手摺りの一部平面図である。
【符号の説明】
【００１４】
１      凹溝
２      アルミパイプ
３      樹脂被膜
４      蓄光材又は蛍光材
５      リブ
【図１】
0003137424.tif 000003
【図２】
0003137424.tif 000004
(57)【要約】【課題】  毛筆で縦書きに文章を書く時、右の行から左方向に書いていく、その場合、書いた字に手が触れ用紙を汚したり、字をくずしてしまう不都合の解消。【解決手段】  表面にスチュール板２を付した長方形板１の両辺に棒状のＬ型器具３が向かい合わせになるように取り付ける。そして、用紙６は、片方をＬ型器具３の溝部８に挿入し、他方をマジックシート５で固定する。両方のＬ型器具３のガラスと接する部７に透明な板ガラス４を置く。板ガラス４が左右に移動できるので、その上に手を乗せ書くことができる。この用紙を汚さない書道用器具１０によりこの課題を解決する。【選択図】図１
0003137289.tif 000002
【実用新案登録請求の範囲】
【請求項１】
スチュール板を表面に付した長方形板の両辺に、棒状のＬ型器具を向かい合わせに取り付け、そのＬ型器具のガラスの接する部に透明な板ガラスを橋渡し状に置いた用紙を汚さない書道用器具。
【考案の詳細な説明】
【技術分野】
【０００１】  本考案は、毛筆により用紙を汚さない書道用器具に関するものである。
【背景技術】
【０００２】  従来、毛筆で縦書きをする場合、書いた字に手が触れ用紙が汚れてしまう。そのため、一行書いてはそれが乾くのを待って次ぎの行を書くか、ティシュペイパー等で墨を吸い取ってから書いたりした。又、先に下書きをしたものに逆方向に左の行から右の方向に書いたりしていた。
【考案の開示】
【考案が解決しようとする課題】
【０００３】  しかし、これでは、時間を費やし、ティシュペイパー等で吸い取っても字が汚れてしまうことがある。又、左の行から右方向に書くと字の流れが悪くバランスのとれない文体になってしまう。そして、下書きをする手間もかかる。
【課題を解決するための手段】
【０００４】  そこで、表面にスチュール板を付した長方形板の両辺に棒状のＬ型器具を向かい合わせになるように取り付ける。用紙の一辺は、Ｌ型器具の溝に挿入し、他方は細長のマグネットシートを付して固定する。次にそのＬ型器具のガラスと接する部に書く手が乗るほどの幅を持った透明な板ガラスを橋渡し状に置き、板ガラスを左に移動させながら書いていく用紙を汚さない書道用器具を考案した。
【考案の効果】
【０００５】  よって、本考案の用紙を汚さない書道用器具を使用することにより、通常の左方向に書いても、用紙に手が触れることなく用紙を汚したり、墨が手に付いて字をくずすことがない。又、用紙と透明板ガラスの間に隙間があるためガラスで用紙を汚すこともない。
透明な板ガラスを使用すると先に書いた字が見え文体のバランスを取ることができる。
尚、スチュール板に行間隔や列間隔を示す罫線を設けると、薄手の用紙を使用した場合は、その線の沿って書くこともできる。又、棒状のＬ型器具のガラスと接する部に目盛りを付すことにより、厚手の用紙の場合は、板ガラスの端をそこに当て鉛筆等で線を引き、それに沿って書くこともでき便利さを増す。
【考案を実施するための最良の形態】
【０００６】  図１は本考案に係る用紙を汚さない書道用器具１０の側面図である。同図で示すように、スチュ−ル板２を表面に付した長方形板１の両辺に棒状のＬ型器具３を向かい合わせに取り付ける。用紙６は、一辺をＬ型器具３の溝部８に挿入し、他方はマグネットシート５で固定する。そして、Ｌ型器具３のガラスと接する部７に透明な板ガラス４を橋渡し状に置く。【０００７】  長方形板１の素材は、４ｍｍ程度のベニヤ板や厚紙を用い、表面が平らに保持できるようにする。又、スチュ−ル板２の厚みは０．３ｍｍ程度でよい。【０００８】  用紙を汚さない書道用器具１０の大きさは、Ａ３又はＢ４サイズの用紙が使用できれば、それ以下のサイズの用紙は全て使用できるので特殊なものを除き、この二種類でほとんど賄うことができる。【０００９】  棒状のＬ型器具３の素材は、アルミ製か合成樹脂製のものがよく、溝部８の隙間は１ｍｍ、奥行きは５ｍｍ程度でよい【００１０】  透明な板ガラス４の厚みは３ｍｍを使用し、板ガラス４とスチュ−ル板２との間隔は４ｍｍにする。大きさは、横幅は手を乗せて書くことができる１００ｍｍから１５０ｍｍ程度が適当である。
【図面の簡単な説明】
【００１１】
【図１】  本考案の側面図である。
【図２】  本考案の平面図である。
【符号の説明】
【００１２】１      長方形板
２      スチュ−ル板
３      棒状のＬ型器具
４      透明な板ガラス
５      細長のマジックシート
６      用紙
７      Ｌ型器具のガラスと接する部
８      Ｌ型器具の溝部
１０    用紙を汚さない書道用器具
【図１】
0003137289.tif 000003
【図２】
0003137289.tif 000004
【手続補正書】
【提出日】平成19年7月11日(2007.7.11)
【手続補正１】
【補正対象書類名】明細書
【補正対象項目名】００１２
【補正方法】変更
【補正の内容】
【００１２】１      長方形板
２      スチュール板
３      棒状のＬ型器具
４      透明な板ガラス
５      細長のマグネットシート
６      用紙
７      Ｌ型器具のガラスと接する部
８      Ｌ型器具の溝部
１０    用紙を汚さない書道用器具
(57)【要約】      （修正有）【課題】自転車下部からくる振動を和らげ、長時間乗っている際に起こるでん部の痛み、苦痛を解消する。【解決手段】サドルに直結しているピストン棒を上下３〜４ｃｍ幅で上下させる事により直接くる下からの衝撃を吸収することができる。鋼鉄製のピストン棒を使用する事により安全面においても問題はなく、また走行中にサドルが脱落する事も、軸が回転する事もない，安価なピストン式自転車用サドル。【選択図】図１
0003137285.tif 000002
【実用新案登録請求の範囲】
【請求項１】
従来の自転車のサドルは，約２０ｃｍの長さの１本のパイプに取り付けられ、それを自転車本体のフレームに差し込む形になっているが、この一本のパイプを２本に分け、フレームに差し込むパイプとその中に通すピストン棒とに分離する。サドルはピストン棒に取り付ける事とする。
【請求項２】
その上で分離したパイプの中の下部にバネをいれ、その上にピストン棒を通し上下動をさせる事により下からの衝撃を吸収する。サドルはピストン棒に固定され上下運動を行う。差し込んだ後の全体の長さは従来のパイプとほぼ同じにする。パイプの半分上には２箇所、約６ｃｍの縦長の切込み（溝）を作り、その切り込みの中をピストン棒についている止め金（ネジ）が上下に動くようにする。サドルのねじれを防ぐことを兼ねたものである。
ピストンの上下動は最大で３〜４ｃｍ．とする。
【考案の詳細な説明】
【技術分野】
【０００１】本考案は自転車のサドルに上下動を持たせ衝撃をかわすことで、快適な長距離走行を実現するものである。
【背景技術】
【０００２】現在の技術は  サドルのパイプをそのまま自転車のフレームに差し込んでいるため、下からの衝撃を吸収するに至っていない。
【考案が解決しようとする課題】
【０００３】最大３〜４ｃｍピストン運動させることにより衝撃を吸収し、長距離走行を可能とする。
【課題を解決するための手段】
【０００４】従来はサドルに直結したパイプを自転車のフレームに差し込んでいたが、パイプとピストン棒を分離する。ピストン棒にサドルを取り付けることとする。
【考案の効果】
【０００５】本考案は自転車のサドルに上下動を持たせる事で長時間乗っていると，尻が痛くなる現象を和らげ、快適な走行を実現するもの。道路事情の悪い所にも適し、全世界の利用者にプラス効果をもたらすものである。
【考案を実施するための最良の形態】
【０００６】サドル用のパイプの中に、上下動するピストン棒を通し、かつパイプの中〔ピストン棒のした〕にバネを仕掛ける事により、最大で３〜４ｃｍ幅で上下運動を行う。
【実施例１】
【０００７】〔図１〕は組み立て全体図である。〔図２〕は分解図である。
【実施例２】
【０００８】以下、〔図２〕に従って実施例を説明する。
１は自転車のフレーム本体である。２は現在使用されているサドルを支えるパイプである。
３はパイプ２に差し込むピストン棒である。
４は２のパイプの中〔ピストン棒のした〕に入れるスプリングバネである。
２のパイプの上部２箇所を縦に５〜６ｃｍ切断する。符号５．
２の上部に６の蓋〔リング、ネジ式〕をはめ締める。
このパイプに３のピストン棒を通して７のネジで止める。このネジは上下動を行うときにサドルの歪曲を防ぐものである。７のネジは５〜６ｃｍ切込みを入れたパイプの中を約３〜４ｃｍ幅で上下動する設計。
【実施例３】
【０００９】最後に３のピストン棒に９を取り付けサドルを固定させる。従って従来２に取り付けられていたサドルは３に取り付けられる事となる。
【実施例４】
【００１０】組み立て完了図は〔図１〕の通りとなる。この結果サドルは最大で３〜４ｃｍ上下運動を繰り返す事となる。
【実施例５】
【００１１】自転車に乗る前の７のネジの位置はパイプの切り込みの最上位にあるが、人が乗車した時には切り込みの中間点にくるようにバネの弾性を設計する。
【産業上の利用可能性】
【００１２】長時間乗車が可能であり、かつ道路事情の悪い場所にも適し全世界を通じプラスの効果は大。また費用も高コストにはならない。
【図面の簡単な説明】
【００１３】
【図１】組み立て正面図
【図２】分解図
【符号の説明】
【００１４】１    自転車本体のフレーム
２    パイプ
３    ピストン棒
４    バネ
５    切り込み溝
６    ふた〔リング、ネジ式〕
７    ネジ、ピストン止め
８    ピストン棒下部の皿、バネ受け
９    サドル止めがね
【図１】
0003137285.tif 000003
【図２】
0003137285.tif 000004
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
例えば下記アからオまでの構成要素全てを兼ね備えた自転車サドル支持パイプ
ア．自転車サドル支持パイプを２本に分け、１本は自転車本体に差し込むパイプ（２）、もう１本はサドルに固定させるパイプ（３）とし、サドルに固定させるパイプ（３）を自転車本体に差し込むパイプ（２）に差込み一体化したうえでバネ仕掛けにより上下運動させる。
イ．自転車の本体フレームに差し込むパイプ（２）の中には強力なバネを埋め込み、又パイプ本体（２）の上部２箇所にはサドル固定パイプ（３）を取り付け上下運動させる為、約６ｃｍの縦長の切り込み溝をいれる。
ウ．更に本体パイプ（２）の上部には中央がくりぬかれているネジ式のキャップ（６）をかぶせ締める。
エ．ネジ式キャップ（６）の穴にサドル固定パイプ（３）を差込んだあと自転車本体に差し込むパイプ（２）の切り込み溝の外側からサドル固定パイプ（３）の穴に止め金突起物（７）を差込み固定する。
オ．止め金突起物（７）は自転車の振動にあわせ自転車本体に差し込むパイプ（２）の中に内蔵されたバネ仕掛けにより、切り込み溝に沿い約３〜４ｃｍ幅で上下運動する。
【手続補正書】
【提出日】平成19年8月22日(2007.8.22)
【手続補正１】
【補正対象書類名】実用新案登録請求の範囲
【補正対象項目名】全文
【補正方法】変更
【補正の内容】
【実用新案登録請求の範囲】
【請求項１】
下記アからオまでの構成要素全てを兼ね備えた自転車サドル支持パイプ
ア．自転車サドル支持パイプを２本に分け、１本は自転車本体フレームに差し込むパイプ（２）、もう１本はサドルに固定させるピストン棒（３）とし、〔２〕に〔３〕を差込み一体化したうえでバネ仕掛けにより上下運動させる。
イ．自転車の本体フレームに差し込むパイプ（２）の中には強力なバネを埋め込み、（２）のパイプ上部２箇所にはサドル固定パイプ（３）を取り付け上下運動させる為、約６ｃｍの縦長の切り込み溝をいれる。
ウ．更にパイプ（２）の上部には中央がくりぬかれているネジ式のキャップ（６）をかぶせ締める。
エ．ネジ式キャップ（６）の穴にピストン棒（３）を差込んだあと自転車本体に差し込むパイプ（２）の切り込み溝の外側からピストン棒（３）の穴に止め金突起物（７）を差込み固定する。サドルの左右のブレを防止する役割を兼ね備える。
オ．止め金突起物（７）は自転車の振動にあわせ自転車本体に差し込むパイプ（２）の中に内蔵されたバネ仕掛けにより、切り込み溝に沿い約３〜４ｃｍ幅で上下運動する。
(57)【要約】【課題】現代でも、昔のように巻紙で手紙を書きたいものである。しかし、巻紙では、ボールペンでは書けない上に、封筒に合わせて巻きなおし、折りたたむのはめんどうである。一方、便箋だと文字数や枚数に気をつけなくてはならず、不便なことが多い。【解決手段】現代の筆記用具で書ける便箋用紙を、巻紙仕上げにする。そして、初めから手紙用封筒のサイズに合わせて、ペタンと折りたたんでおく。書き終えたところで切れば、文章量、紙の長さも気にせず手間もかからないで封筒に入れることができる。【選択図】図１
0003137290.tif 000002
【実用新案登録請求の範囲】
【請求項１】
巻紙便箋。ペン、ボールペンでも書ける用紙が、巻紙のように好きな所で切れる巻紙便箋。従来の巻紙のように書き終えたら、封筒の巾に合わせて巻きなおしてたたむのではなく、はじめから封筒サイズに折ってたたんである巻紙。
【考案の詳細な説明】
【考案の開示】
【考案が解決しようとする課題】
【０００１】今までの巻紙はボールペンでは書けなかった。従来の便箋は、手紙の文章量が２枚と１行になったりなど、枚数に合わせて言葉を付け足したり、削ったりと不便であった。
【課題を解決するための手段】
【０００２】ボールペン等で書ける便箋用紙を、巻紙のように長く巻いて、それを手紙封筒サイズにあらかじめ合わせて、ペタンと折りたたんである。
【考案の効果】
【０００３】枚数も関係なく、手紙文章の長さを気にかけることもなく手紙を書くことが出来る。しかも、封筒巾に折りたたんであるために、巻きなおして封筒の巾を計りながら、たたむ手間がない。
【図面の簡単な説明】
【図１】巻紙便箋を示した平面図である。
【図２】巻紙便箋を広げた平面図である。
【図１】
0003137290.tif 000003
【図２】
0003137290.tif 000004
【手続補正書】
【提出日】平成19年7月17日(2007.7.17)
【手続補正１】
【補正対象書類名】実用新案登録請求の範囲
【補正対象項目名】請求項１
【補正方法】変更
【補正の内容】
【請求項１】
ペン、ボールペン、筆などでも書けるロール状の便箋用紙を、封筒サイズに折りたたんである、巻紙便箋。
(57)【要約】【課題】扉端面の耐熱性を高め、白熱灯の光が当たってしまう部分でも焦げないようにする。【解決手段】熱反射率が高い材料で構成された帯状耐熱部材（例えば、アルミの薄膜）１が扉上面に貼り付けられている。したがって、該扉２が開閉される部分の天井にダウンライト（白熱灯）が配置されていて、該扉上面が加熱されても、白熱灯の熱から扉を保護することができる。【選択図】図１
0003137259.tif 000002
【実用新案登録請求の範囲】
【請求項１】
開閉可能に支持された扉本体と、
熱反射率が高い材料にて構成されて耐熱性を有すると共に、該扉本体の端面に配置される帯状耐熱部材と、
からなる耐熱扉。
【請求項２】
前記帯状耐熱部材は、金属製の薄膜で形成された、
ことを特徴とする請求項１に記載の耐熱扉。
【考案の詳細な説明】
【技術分野】
【０００１】
本考案は、扉端面の温度上昇を抑えることのできる耐熱扉に関する。
【背景技術】
【０００２】
屋内の照明装置としては、天井に埋め込むタイプのダウンライトが広く用いられている（例えば、特許文献１参照）。
【０００３】
図３は、そのダウンライトの使用状態の一例を示す模式図であり、符号１０は、天井１１に埋め込まれたダウンライトを示し、符号１２は扉を示す。
【特許文献１】特開２００６−１２７４９号公報
【考案の開示】
【考案が解決しようとする課題】
【０００４】
しかしながら、ダウンライト１０に白熱灯を使用した場合にはダウンライト下方の温度が高くなってしまい、該下方に扉１２があると、扉上面が焦げてしまう等の問題があった。実際に本考案者が測定してみたところ、１１０Ｖ，６０Ｗの白熱灯で、白熱灯と扉上面との離間距離が２５ｍｍの場合、１時間ほどで木製扉の上面の温度が２００℃弱にまで上昇し（図２の曲線２０参照）、扉上面には焦げた跡が観察された。また、扉１２の側面（図３に符号１２ａで示す面）や下面についても同様で、扉１２が開いたときに扉側面１２ａや下面に近接する位置に白熱灯があると、該側面１２ａや下面が焦げてしまうという問題もある。
【０００５】
従来は、上述のような扉端面（つまり、上面や側面や下面）の温度上昇を避けるため、扉の近傍（つまり、開閉時に扉が下を通るような天井部分や、扉開閉時に側面１２ａが接近する部分等）には白熱灯を配置しないように設計されたりしていたが、それでは多種多様なレイアウトに対応することができず設計の自由度が制約されるという問題もあった。この結果、扉近傍部分が暗くなってしまうという問題があった。
【０００６】
本考案は、扉端面の温度上昇を抑えることができる耐熱扉を提供することを目的とするものである。
【課題を解決するための手段】
【０００７】
請求項１に係る考案は、図１に例示するものであって、開閉可能に支持された扉本体（３）と、
熱反射率が高い材料にて構成されて耐熱性を有すると共に、該扉本体（３）の端面に配置される帯状耐熱部材（１）と、
からなる耐熱扉（２）に関する。
【０００８】
請求項２に係る考案は、請求項１に係る考案において、前記帯状耐熱部材（１）は、金属製の薄膜で形成されたことを特徴とする。
【０００９】
なお、括弧内の番号などは、図面において対応する要素を示す便宜的なものであり、従って、本記述は図面上の記載に限定拘束されるものではない。
【考案の効果】
【００１０】
請求項１及び２に係る考案によれば、帯状耐熱部材を扉端面に取り付けることにより、該扉端面の耐熱性を向上させることができる。これは、該帯状耐熱部材が熱の反射率が大きい材料で出来ているため、白熱灯から局部的に受ける放射熱を扉に吸収させないためである。
【考案を実施するための最良の形態】
【００１１】
以下、図１及び図２に沿って、本考案を実施するための最良の形態について説明する。ここで、図１は、本考案に係る耐熱扉の構造の一例を示す斜視図であり、図２は、扉上面の温度上昇を説明するための図である。
【００１２】
符号１は、扉本体３の上面に取り付けられる帯状耐熱部材を示す。この帯状耐熱部材１は、熱反射率が高い材料（例えば、アルミやステンレス等の金属のように光（遠赤外線）や熱を反射して扉上面が加熱されないような材料や、熱反射能力を有する遮熱塗料）にて構成されて耐熱性を有する薄板状（或いは薄膜状）のものであり、扉上面に取り付けられるようになっている。
【００１３】
また、本考案に係る耐熱扉２は、
・  上述の帯状耐熱部材１と、
・  開閉可能に支持された扉本体（木製の扉本体）３と、
からなる。
【００１４】
この帯状耐熱部材１は、扉上面全面に配置されていることが好ましいが、扉上面の一部に配置されているもの（例えば、ダウンライトに近接する部分であって、温度上昇が著しい部分だけに部分的に配置されているもの）を権利範囲から除外するものでは無い。つまり、図１では、扉上面の長手方向（つまり、ｘ方向）に沿って全面に帯状耐熱部材１が配置されているが、ダウンライトに近接する部分にだけ部分的に配置するようにしても良い。また、扉本体３が開状態のときにその側面や下面に近接する位置に白熱灯がある場合には、前記帯状耐熱部材１は扉本体の側面や下面に配置しておくと良い。
【００１５】
本考案によれば、扉端面の耐熱性を向上させることができる。本考案者が、扉上面にアルミ製のテープ（帯状耐熱部材）を貼付し、該テープの約２５ｍｍ上方に１１０Ｖ，６０Ｗの白熱灯を設置して光を照射してみたところ、扉上面は、何時間経っても７０℃程度にしか温度は上がらなかった。図２の符号２０は帯状耐熱部材無しのときの温度を示す曲線であり、符号２１は帯状耐熱部材有りのときの温度を示す曲線である。
【００１６】
また、上述の帯状耐熱部材を使用した場合には、扉の近傍（つまり、開閉時に扉が下を通るような天井部分、並びに扉開閉時に扉側面や扉下面が接近する部分）にも白熱灯を配置することが可能となり、扉近傍部分を明るく照らすことができる。
【００１７】
なお、本明細書における“扉”とは、人の出入りのために設けられたものだけでなく、それ以外の目的で設けられたもの（例えば、収納棚を閉塞するように設置された扉や、洗面台等の扉）をも含む概念である。
【図面の簡単な説明】
【００１８】
【図１】図１は、本考案に係る耐熱扉の構造の一例を示す斜視図である。
【図２】図２は、扉上面の温度上昇を説明するための図である。
【図３】図３は、ダウンライトの使用状態の一例を示す模式図である。
【符号の説明】
【００１９】
１            帯状耐熱部材
２            耐熱扉
３            扉本体
【図１】
0003137259.tif 000003
【図２】
0003137259.tif 000004
【図３】
0003137259.tif 000005
(57)【要約】【課題】  床面の掃除やワックスかけ作業の際に、壁面への水やワックスなどの付着を防止する汚染防止用治具を提供する。【解決手段】  携帯型の汚染防止用治具であって、箱状のケース本体と、該ケース本体内に設けられ夫々直交方向に引き出しおよび巻取り自在な一対のロール材と、該一対のロール材の先端部に夫々設けられた錘部と、前記ロール材の引き出し長さ調節用ストッパーとから構成され、掃除やワックスかけする部屋の角部の床面に汚染防止用治具を置き、壁に沿ってロール体を引き出して、必要長さの位置で錘体を床面に設置し、ロール体が壁面と接する位置で固定する。 【選択図】      図１
0003137222.tif 000002
【実用新案登録請求の範囲】
【請求項１】
携帯型の汚染防止用治具であって、箱状のケース本体と、該ケース本体内に設けられ夫々直交方向に引き出しおよび巻取り自在な一対のロール材と、該一対のロール材の先端部に夫々設けられた錘部と、前記ロール材の引き出し長さ調節用ストッパーとから構成される汚染防止用治具。
【考案の詳細な説明】
【技術分野】
【０００１】
本考案は、汚染防止用治具に関し、とくに屋内の床の掃除やワックスかけ作業時に好適に使用される汚染防止用治具に関するものである。
【背景技術】
【０００２】
従来より、屋内の床の掃除やワックスかけ作業の際には、掃除機やワックスかけ用ポリッシャーを使用するため、壁面に接触傷が付いたり、水やワックスが付着して壁面を汚染することがあった。そのため作業者は、予め壁面に養生用の粘着シートを貼ったり、ワックス等が付着するたびに拭き取る作業を行なう必要があり、多大の時間と費用を要していた。
【０００３】
そこで、床面への液体の塗布に当たって、液体塗延手段である布によって決定される作業領域の外側への液体の飛散や流動による拡散を防止し、また、装置の高さを低くして、机やベッドの下などでも安全に作業できる液体塗布走行装置が提案されている（特許文献１参照。）。
【０００４】
【特許文献１】特開２００３−１００８８号公報
【考案の開示】
【考案が解決しようとする課題】
【０００５】
しかしながら、上記の特許文献１に記載されている液体塗布走行装置は、走行しながらワックス等の液体を飛散させることなく塗布可能なものであるが、部屋の隅部の塗布作業には作業者の熟練を必要とし、また、装置が複雑であるため高価なものであった。
【０００６】
本考案は、上記問題点に鑑みなされたものであり、屋内の床の掃除やワックスかけ作業時に作業者が簡単な操作で施工して確実に汚染を防止することが可能であり、しかも安価な汚染防止用治具を提供することを目的とするものである。
【課題を解決するための手段】
【０００７】
このため本考案の汚染防止用治具は、箱状のケース本体と、該ケース本体内に設けられ夫々直交方向に引き出しおよび巻取り自在な一対のロール材と、該一対のロール材の先端部に夫々設けられた錘部と、前記ロール材の引き出し長さ調節用ストッパーとから構成されることを第１の特徴とする。
【０００８】
前記ロール材の幅は、屋内の床の掃除やワックスかけ作業の際に確実に汚染を防止できる幅であればよく、しかも携帯に便利な５〜１０ｃｍであれば尚良い。
【考案の効果】
【０００９】
本考案の汚染防止用治具は、以上のように構成されているので次のような優れた効果を有する。
（１）直交方向に引き出しおよび巻取り自在な一対のロール材と、ロール材の先端部に夫々設けられた錘部と、ロール材の引き出し長さ調節用ストッパーとから構成されから構成されており、作業者は屋内の床の掃除やワックスかけ作業前に、床面に接する壁面に長さの調節をしながら施工して、掃除やワックスかけ作業の際の汚染を確実に防止することができるという効果がある。
（２）養生用の粘着シート等の使い捨て資材を使用せずに繰り返し作業ができるため作業効率が高く、しかも構造が簡単であり安価であるという効果がある。
【考案を実施するための最良の形態】
【００１０】
以下、本考案の実施の形態を、図面に示す実施例に基づいて説明するが、本考案が本実施例に限定されないことは言うまでもない。図１は、本考案に係る汚染防止用治具の一実施例を示す平面図、図２は本考案に係る汚染防止用治具の使用状態を示す平面説明図、図３は図２の斜視説明図である。
【実施例】
【００１１】
図に示すように、本考案の汚染防止用治具１は、箱形状のケース本体２と、ケース本体２の中に設けられた一対のロール体３と、ロール体３の先端に接合された直方形状の錘体４とから構成されており、ロール体３は挿通口５を挿通して夫々直交方向に引き出しおよび巻取り自在とされている。そして、ストッパー６によってロール体３は任意の位置で長さ調節自在とされている。
【００１２】
ケース本体２はプラスチックやアルミ等の軽金属で形成され、内部に一対のロール体３が対向して配置されている。このロール体３は例えば寸法測定用のメジャー等に使用される鋼製のロールや、ワックス液に影響されないプラスチックであってもかまわない。そして、錘体４はロール体３を引き出して使用する際の固定用部材として使用されるため、鋼製あるいはステンレス製の柱状体に形成されている。また必要に応じてケース本体３と錘体４とはシート状の磁石等によって固定される。
【００１３】
つぎに、図３を使用して本考案の汚染防止用治具１の使用方法を説明すると、作業者は掃除やワックスかけする部屋の角部の床面に汚染防止用治具１を置き、壁に沿ってロール体２を引き出して、必要長さの位置で錘体４を床面に設置し、ロール体３が壁面と接する位置で固定する。この際、ストッパー６を使用することによってロール体３が弛むことなく引き出し作業が可能となり、掃除やワックスかけ作業の際にもロール体３が曲がることがない。掃除やワックスかけ作業が終了すると、ストッパー６を緩めてロール体３を巻き戻し、錘体４をケース本体２の側面位置に固定する。
【００１４】
上記の作業を行なう際には、１個の汚染防止用治具でも可能であるが、複数の汚染防止用治具１を使用することによって効率よく作業を行なうことも当然可能であり、掃除やワックスかけを行なう部屋の大きさなどによって適宜選択される。
【００１５】
以上、本考案による汚染防止用治具によれば、直交方向に引き出しおよび巻取り自在な一対のロール材と、ロール材の先端部に夫々設けられた錘部と、ロール材の引き出し長さ調節用ストッパーとから構成されており、養生用の粘着シート等の使い捨て資材を使用せずに繰り返し作業ができ、しかも掃除やワックスかけ作業の際の汚染を確実に防止することができる。
【図面の簡単な説明】
【００１６】
【図１】本考案に係る汚染防止用治具の一実施例を示す平面図である。
【図２】図１の使用状態を示す平面図である。
【図３】図２の斜視説明図である。
【符号の説明】
【００１７】
１          汚染防止用治具
２          ケース本体
３          ロール体
４          錘体
５          挿通口
６          ストッパー
【図１】
0003137222.tif 000003
【図２】
0003137222.tif 000004
【図３】
0003137222.tif 000005
(57)【要約】【課題】  野外における移動撮影においてドリーを使用できるようにすることを課題とする。【解決手段】  三脚を上面に載置する構造２１を有し、下面にキャスター３０が設けられるドリーにおいて、前記キャスター３０に緩衝機構を設ける。これにより、本ドリーに撮影用カメラを搭載した三脚を固定して、野外で移動撮影を行う場合に、野外における地面の凹凸による振動を緩衝機構により吸収するので、カメラへの振動を抑制することができ、野外においてドリーを使用することができる。【選択図】  図１
0003137227.tif 000002
【実用新案登録請求の範囲】
【請求項１】
三脚を上面に載置する構造を有し、下面にキャスターが設けられるドリーにおいて、前記キャスターに緩衝機構が設けられるドリー。
【請求項２】
中央部に雲台を搭載する構造が設けられる請求項１に記載のドリー。
【考案の詳細な説明】
【技術分野】
【０００１】
本考案は、移動撮影において使用される、カメラを搭載した三脚を載せ、キャスターにより移動可能に形成されるドリーに関する。
【背景技術】
【０００２】
撮影に使用されるドリーは、下面側にキャスターを備え、上面側で三脚を支持固定することで、三脚を床面に対して移動可能に支持する台である。このようなドリーは通常スタジオ撮影における移動撮影に使用されてきた。
一方、野外において移動撮影を行う場合には、地面に凹凸があるためにキャスターで支持するドリーでは振動がカメラに伝わってしまいドリーは使用できない。そこで、野外の移動撮影では、地面にレールを敷き、このレールを移動する台車に三脚を載せて撮影する方法が採られてきた。
【考案の開示】
【考案が解決しようとする課題】
【０００３】
しかし、野外の移動撮影においてレールを敷く作業は大掛かりであり、また、レールの搬送や組立に多くの労力を要することとなっていた。また、レールは真直ぐな方向の移動のみが基本であり、曲線状に移動させるためには特別なレールを用意する必要が生じる。一方、野外においてドリーを使用することができれば、このような問題は生じない。
本考案は、以上のことに鑑みて、野外における移動撮影においてドリーを使用できるようにすることを課題とする。
【課題を解決するための手段】
【０００４】
上記課題を解決するために、本考案は次のような構成を有する。
請求項１に記載の考案は、三脚を上面に載置する構造を有し、下面にキャスターが設けられるドリーにおいて、前記キャスターに緩衝機構が設けられるものである。緩衝機構はショックアブソーバーや、スプリング、エアダンパーなどが例示される。
請求項２に記載の考案は、前記ドリーにおいて、中央部に雲台を搭載する構造が設けられるものである。
【考案の効果】
【０００５】
請求項１に記載の考案は、ドリーのキャスターに緩衝機構を設けることにより、多少の凹凸のある野外の地面を移動させる場合においても、緩衝機構によって地面の凹凸による振動の多くを吸収し、三脚上のカメラへ伝わる振動を抑制することができる。
請求項２に記載の考案は、中央部に雲台を搭載する構造が設けられることで、ドリーに三脚を載置せずに、中央部に雲台を搭載して、ここに直接カメラを取り付けることで、野外でのローアングルの移動撮影が可能となる。
【考案を実施するための最良の形態】
【０００６】
以下、本考案の実施形態について、図を参照しながら説明する。
図１に本実施形態に係るドリーＸの斜視図を示す。ドリーＸは、中央の平面視６角形の支持体１０に、３本の角パイプからなる杆体２０ａ、２０ｂ、２０ｂが３方に放射状に広がるように固定されている。２本の杆体２０ｂ、２０ｂは支持体１０に対して鉛直軸に回動可能に固定されており、残りの杆体２０ａと同じ方向に揃うように回動させて収納することができる。各杆体２０ａ、２０ｂ、２０ｂの先端部上面には、三脚を固定する三脚固定構造２１が形成されており、先端部下面にはキャスター３０が設けられている。
【０００７】
図２（ａ）にキャスター３０近傍を示す拡大図を示す。キャスター３０は、ここではユーエイキャスター社製の緩衝器付きキャスター「ＮＰＴ−１００ＳＵＥ−１」を使用しているが、緩衝機構が設けられているキャスターであれば種々のものを採用することができる。キャスター３０は内部にエアダンバーが固定されており、図２（ｂ）に示すように力を加えると高さを変えることができ、力を掛けない状態にすると元の位置に戻るようになっている。
【０００８】
支持体１０の中央部分には、雲台を固定することができるように雲台固定用受け部１１が形成されている。雲台固定用受け部１１は、円形の皿上に窪んだ穴により形成され、穴の中央部には雲台を固定するための貫通孔が設けられている。
【０００９】
以上のような構成を有するドリーＸは、主に野外で使用するものであり、通常は、カメラを固定した三脚のぞれぞれの脚を杆体２０ａ、２０ｂ、２０ｂの先端上部の三脚固定構造２１に固定し、この状態で地面上でドリーＸを移動させることで移動撮影を行う。この際、キャスター３０には緩衝機構が設けられているので、地面の凹凸による振動を緩衝機構が吸収し、カメラへ伝わる振動は許容できる程度に小さくすることができる。
また、ローアングルで移動撮影を行う場合は、三脚を用いずに、支持体１０中央部分の雲台固定用受け部１１に雲台を固定し、この雲台にカメラを固定する。そして、やはり、この状態でドリーＸを移動させることで移動撮影を行えば、地面の凹凸による振動を抑制した撮影を実現することができる。
【図面の簡単な説明】
【００１０】
【図１】実施形態に係るドリーの斜視図である。
【図２】（ａ）はキャスター近傍の拡大図であり、（ｂ）はキャスターが沈んだ状態を示すキャスター近傍の拡大図である。
【符号の説明】
【００１１】
Ｘ      ドリー
１０    支持体
１１    雲台固定受け部
２０ａ、２０ｂ  杆体
２１    三脚固定構造
３０    キャスター
【図１】
0003137227.tif 000003
【図２】
0003137227.tif 000004
(57)【要約】      （修正有）【課題】かけひも、押しピン、支え棒などが無くても、それ単独で屏風の縮小模型の如く室内装飾品として手軽に用いることのできる葉書を提供する。【解決手段】厚紙５からなり、裏面に絵３などの模様が描かれているとともに短辺又は長辺の一方と平行な複数の折罫がプレス等により形成され又は折線４が印刷されていることを特徴とし、短辺又は長辺の一方が漉き目と平行になるように裁断されており、前記折罫又は折線４が漉き目と平行な折線である。【選択図】図１
0003137229.tif 000002
【実用新案登録請求の範囲】
【請求項１】
裏面に模様が描かれているとともに短辺又は長辺の一方と平行な複数の折罫が形成され又は折線が印刷されていることを特徴とする葉書。
【請求項２】
短辺又は長辺の一方が漉き目と平行になるように裁断されており、前記折罫又は折線が漉き目と平行な折線である請求項１に記載の葉書。
【請求項３】
前記折罫又は折線が短辺と平行であって、３本又は５本形成又は印刷されている請求項１又は２に記載の葉書。
【請求項４】
前記折罫又は折線が、溝又はミシン目からなる折罫である請求項１〜３のいずれかに記載の葉書。
【考案の詳細な説明】
【技術分野】
【０００１】
この考案は、葉書、特に絵葉書に関するもので、屏風の縮小模型として楽しむことのできるものである。
【背景技術】
【０００２】
絵葉書で室内を装飾したり絵葉書を鑑賞したりするため、従来より絵葉書を枠に入れて立て掛け可能にすることが行われている。また、枠を厚紙で葉書サイズに形成し、軽量且つ安価にしたものも提案されている（特許文献１）。
【特許文献１】実用新案登録３０７４６０８
【考案の開示】
【考案が解決しようとする課題】
【０００３】
しかし、枠に入れていては一枚の絵はがき毎に枠を購入しなければならず、費用がかかる。また、特許文献１に記載のものは、ひもで吊り下げる必要上、ひもを掛けるフックがある所でなければ飾れない。
それ故、この考案の課題は、それ単独で室内装飾品として手軽に用いることのできる葉書を提供することにある。
【課題を解決するための手段】
【０００４】
その課題解決するために、この考案の葉書は、
裏面に模様が描かれているとともに短辺又は長辺の一方と平行な複数の折罫が形成され又は折線が印刷されていることを特徴とする。ここで、折罫とは紙を折りやすく立体的に加工した部分をいう。
この葉書によれば、短辺又は長辺の一方と平行な複数の折罫が形成され又は折線が印刷されているので、短辺又は長辺の他方と正確に直角に折ることができる。従って、折られた葉書は、折罫又は折線を鉛直方向にすることで自立し、単独で装飾品となりうる。模様次第では屏風の縮小模型ともなる。
【０００５】
この考案の葉書において、短辺又は長辺の一方が漉き目と平行になるように裁断されており、前記折線が漉き目と平行であると、折り目にひびができずにきれいに折ることができるので好ましい。
また、前記折罫又は折線が短辺と平行であって、３本又は５本形成又は印刷されていると、屏風らしさが増して良い。
前記折罫又は折線は、好ましくはプレスによって窪ませられた溝又はミシン目からなる折罫である。これにより漉き目の方向にかかわらず、折り目にひびができずにきれいに折ることができるからである。
【考案の効果】
【０００６】
この考案の葉書は、自立するので、かけひも、押しピン、支え棒などの他部材が無くても単独で装飾品となりうる。従って、手軽に室内を装飾し、絵を鑑賞することができる。
【考案を実施するための最良の形態】
【０００７】
−実施形態１−
図１は、この発明の第一の実施形態に係る葉書を示す背面図、図２は、使用状態を示す斜視図である。
葉書１は、短辺方向（図１の両矢印方向）に漉き目を有する厚紙５からなる定形の葉書であって、図示しない正面における一方の短辺付近には郵便番号欄が印刷され、その他の部分は宛先、差出人、本文などを記載できるように空白となっている。図示の背面には、上下左右端に長辺及び短辺に沿って縁２が黒塗りで描かれ、中央に短辺方向を上下とする草花の絵３が描かれている。そして、背面には更に、短辺と平行に５本の折線４が長辺方向に等間隔に印刷されている。折線４は、縁２や絵３の色や形状線に比べて細く且つ薄く印刷されている。
【０００８】
葉書１を装飾品として用いるときは、折線４に沿って谷折りと山折りを交互に行う。折線４が漉き目と平行であるから、ひびができずに折線４に沿ってきれいに折ることができる。そして、短辺と平行に折られているから、長辺がジグザグになって一つの平面に含まれ、図２に示すようにかけひも、押しピン、支え棒などが無くても屏風のように自立する。また、折線４は稜線上にあるので、目立たない。
【０００９】
−実施形態２−
図３は、この発明の第二の実施形態に係る葉書を示す背面図、図４は、図３のＡＡ線断面図である。
この実施形態では実施形態１の葉書１における折線４に代えて葉書１１の折罫１４がプレスによってその部分だけ窪むようにして形成されている。また、厚紙１５は、長辺方向（図３の両矢印方向）に漉き目を有する。その他の構成は実施形態１の葉書１と同じである。
【００１０】
葉書１１を装飾品として用いるときも、折罫１４に沿って谷折りと山折りを交互に行う。折罫１４の部分が窪んでいるので、漉き目と折罫１４とが直交しているにもかかわらず、ひびができずに折罫１４に沿ってきれいに折ることができる。そして、実施形態１におけると同様、屏風のように自立する。
尚、折罫１４はミシン目からなっていてもよい。
【図面の簡単な説明】
【００１１】
【図１】実施形態１に係る葉書を示す背面図である。
【図２】実施形態１に係る葉書の使用状態を示す斜視図である。
【図３】実施形態２に係る葉書を示す背面図である。
【図４】図３のＡＡ線断面図である。
【符号の説明】
【００１２】
１、１１  葉書
２  縁
３  絵
４  折線
１４  折罫
５、１５  厚紙
【図１】
0003137229.tif 000003
【図２】
0003137229.tif 000004
【図３】
0003137229.tif 000005
【図４】
0003137229.tif 000006